【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
エネルギーの発生方法であって、
水素を生成することができる、下式で示される液体化合物を金属基質と反応させて、水素ガスを生成する工程、
水素ガスを利用してエネルギーを発生する工程、
を含むことを特徴とする方法。
R-XH
（式中、Ｒは、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から選ばれた部分であり、かつＸは硫黄、酸素及びセレンからなる群から選ばれる。）
【請求項２】
Ｒが、C2-C8アルキル基、ヘテロアルキル基、アルケニル基、又はヘテロアルケニル基である、請求項１記載の方法。
【請求項３】
エネルギーを発生するのに使用するための水素を貯蔵し、生成する方法であって、
水素を生成することができる、下式で示される液体化合物を金属基質と反応させて、水素ガス及び金属基質に結合されたR1-Xを生成する工程、そして
水素ガスを集める工程、
を含むことを特徴とする方法。
R1-XH
（式中、R1は、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から選ばれた部分であり、かつＸは、硫黄、酸素及びセレンからなる群から選ばれる。）
【請求項４】
液体化合物が、C2-C8有機チオールである、請求項３記載の方法。
【請求項５】
金属基質に結合されたR1-Xを解離して使用済み化合物を生成する工程を更に含む、請求項３記載の方法。
【請求項６】
使用済み化合物が、式R1-X-X-R1を有する二量体化合物である、請求項５記載の方法。
【請求項７】
使用済み化合物を水素と反応させて、式R1-XHを有する化合物を生成し、それにより水素を生成することができる化合物を使用済み化合物から再生する工程を更に含む、請求項５記載の方法。
【請求項８】
エネルギーを発生するのに使用するための水素を貯蔵し、生成する方法であって、
水素を生成することができる、下式R1-XHを有する液体化合物を金属基質と反応させて水素ガスと、
(a)R2-XH（式中、R2は、R1に対し脱水素化されている）；
(b)R3=X（式中、R3はR1に対し脱水素化されている）；又は
(c)(a)及び(b)の組み合わせ、
を含む使用済み化合物とを生成する工程、そして
水素ガスを集める工程、
を含むことを特徴とする方法。
R1-XH
（式中、R1、R2、及びR3の夫々は、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から独立に選ばれた部分であり、かつＸは硫黄、酸素及びセレンからなる群から選ばれる。）
【請求項９】
使用済み化合物を水素と反応させて式R1-XHを有する化合物を生成し、それにより水素を生成することができる化合物を使用済み化合物から再生する工程を更に含む、請求項８記載の方法。
【請求項１０】
エネルギーを発生するための水素を生成するための装置であって、
水素を生成することができる式R-XH（式中、Ｒは、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から選ばれた部分であり、かつＸは硫黄、酸素、及びセレンからなる群から選ばれる。）を有する液体化合物を含むのに適した貯蔵溜め、及び
前記液体化合物と反応して金属基質に結合されたR-X化合物及び水素ガスを生成するのに適した金属基質、
を含むことを特徴とする装置。
【請求項１１】
液体化合物が、C2-C8有機チオール化合物を含む、請求項１０記載の装置。
【請求項１２】
R-Xを金属基質から解離して使用済み化合物を生成することができるエネルギー源を更に含み、使用済み化合物が、式R-X-X-Rを有する二量体化合物である、請求項１０記載の装置。
【請求項１３】
エネルギーを発生するための水素を生成するための装置であって、
水素を生成することができる下式R1-XHを有する液体化合物を含むのに適した貯蔵溜め、及び
液体化合物と反応して、水素ガスと、
(a)R2-XH（式中、R2は、R1に対し脱水素化されている）；
(b)R3=X（式中、R3は、R1に対し脱水素化されている）；又は
(c)(a)及び(b)の組み合わせ、
を含む使用済み化合物とを生成するのに適した金属基質、
を含むことを特徴とする装置。
（式中、R1、R2、及びR3の夫々は、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から独立に選ばれた部分であり、Ｘは、硫黄、酸素及びセレンからなる群から選ばれる。）
【請求項１４】
使用済み化合物を装置の外部の源から受け取られた水素と反応させて式R1-XHを有する化合物を生成し、それにより水素を生成することができる化合物を使用済み化合物から再生するのに適した再生チャンバーを更に含む、請求項１３記載の装置。
【請求項１５】
水素を生成することができる化合物を使用済み化合物から再生する方法であって、
使用済み化合物を、エネルギーを発生するための水素を生成するための装置であって、
水素を生成することができる式R-XH（式中、Ｒは、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から選ばれた部分であり、かつＸは硫黄、酸素、及びセレンからなる群から選ばれる。）を有する液体化合物を含むのに適した貯蔵溜め、及び前記液体化合物と反応して金属基質に結合されたR-X化合物及び水素ガスを生成するのに適した金属基質を含み、
R-Xを金属基質から解離して使用済み化合物を生成することができるエネルギー源を更に含み、
使用済み化合物を貯蔵するための溜めを更に含み、
使用済み化合物を貯蔵するための溜めが、装置からの使用済み化合物の除去に適していることを特徴とする装置から受け取る工程、そして
使用済み化合物を水素と反応させて、式R-XHを有する化合物を生成し、それにより水素を生成することができる化合物を使用済み化合物から再生する工程、
を含むことを特徴とする方法。
【請求項１６】
水素を生成することができる化合物を使用済み化合物から再生する方法であって、
使用済み化合物を、エネルギーを発生するための水素を生成するための装置であって、
水素を生成することができる下式R1-XHを有する液体化合物を含むのに適した貯蔵溜め、及び
液体化合物と反応して、水素ガスと、
(a)R2-XH（式中、R2は、R1に対し脱水素化されている）；
(b)R3=X（式中、R3は、R1に対し脱水素化されている）；又は
(c)(a)及び(b)の組み合わせ、
を含む使用済み化合物とを生成するのに適した金属基質、
を含み、
使用済み化合物を貯蔵するための溜めを更に含み、
使用済み化合物を貯蔵するための溜めが、装置からの使用済み化合物の除去に適していることを特徴とする装置
（式中、R1、R2、及びR3の夫々は、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から独立に選ばれた部分であり、Ｘは、硫黄、酸素及びセレンからなる群から選ばれる。）
から受け取る工程、そして
使用済み化合物を水素と反応させて、式R1-XHを有する化合物を生成し、それにより水素を生成することができる化合物を使用済み化合物から再生する工程、
を含むことを特徴とする方法。
【請求項１７】
水素を生成し、利用するための組立体であって、
水素を生成するための第一ユニットであって、
(a)水素を生成することができる式R-XH、
（式中、Ｒは、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から選ばれた部分であり、Ｘは、硫黄、酸素、及びセレンからなる群から選ばれる。）
で示される液体化合物を含むのに適した貯蔵溜め、及び
(b)その液体化合物と反応して、金属基質に結合されたR-X化合物及び水素ガスを生成するのに適した金属基質を含む第一ユニット、及び
水素を利用してエネルギーを発生するための第二ユニットであって、水素を第一ユニットから受け取るのに適している第二ユニット、
を含むことを特徴とする組立体。
【請求項１８】
水素を生成し、利用するための組立体であって、
水素を生成するための第一ユニットであって、
(1)水素を生成することができる下式R1-XHを有する液体化合物を含むのに適した貯蔵溜め、及び
(2)その液体化合物と反応して、水素ガスと、(a)R2-XH（式中、R2は、R1に対し脱水素化されている）、(b)R3=X（式中、R3は、R1に対し脱水素化されている）、又は(c)(a)及び(b)の組み合わせを含む使用済み化合物と、を生成するのに適した金属基質、
（式中、R1、R2、及びR3の夫々が、アルキル基、ヘテロアルキル基、アルケニル基、置換アルケニル基、アルキニル基、アリール基、ヘテロアリール基、アルコキシ基、シクロアルキル基、複素環基、アルキルアリール基、アリールアルキル基、アリールアルケニル基、アリールアルキニル基、アリーレン基、オキシアリーレン基、及びこれらの組み合わせからなる群から独立に選ばれた部分であり、Ｘは、硫黄、酸素及びセレンからなる群から選ばれる。）
を含む第一ユニット、
水素を利用してエネルギーを発生するための第二ユニットであって、水素を第一ユニットから受け取るのに適している第二ユニット、
を含むことを特徴とする組立体。